(57)【要約】      （修正有）【課題】浴槽内の残り湯全体を万遍なく、効率よく加温できるようにした追い焚き湯拡散具を提供する。【解決手段】浴槽Ａの湯出口Ｂから出る追い焚き湯が流れ込む主パイプ２と、主パイプと連通された脚パイプ３を備え、主パイプは浴槽内に入れることのできる細長であり、浴槽内の底面側に設置でき、長手方向一端に浴槽の湯出口に対向配置される入口６があり、入口は浴槽の湯出口から出る追い焚き湯が流入できるように開口しており、他端はその全面又は一部が閉塞されており、脚パイプは主パイプの長手方向に間隔をあけて二以上設けられている。主パイプから脚パイプに流れ込んだ追い焚き湯が流れ込む分岐パイプ４を備え、分岐パイプは脚パイプの側方に突出するように脚パイプに連結され、脚パイプから流れ込んだ追い焚き湯が浴槽内側方に流出する出口を備える。【選択図】図１
0003183408.tif 000002
【実用新案登録請求の範囲】
【請求項１】
浴槽内に戻される追い焚き湯が浴槽内全般に拡散されて、浴槽内全般の残り湯がほぼ均等に加温されるようにした追い焚き湯拡散具において、
浴槽の湯出口から出る追い焚き湯が流れ込む主パイプと、
主パイプから追い焚き湯が流れ込むように主パイプと連通された脚パイプを備え、
主パイプは浴槽内に入れることのできる細長であり、浴槽内の底面側に設置でき、長手方向一端に浴槽の湯出口に対向配置される入口があり、入口は浴槽の湯出口から出る追い焚き湯が流入できるように開口しており、他端はその全面又は一部が閉塞されており、
前記脚パイプは前記主パイプの長手方向に間隔をあけて二以上設けられた、
ことを特徴とする追い焚き湯拡散具。
【請求項２】
請求項１記載の追い焚き湯拡散具において、
主パイプから脚パイプに流れ込んだ追い焚き湯が流れ込む分岐パイプを備え、
前記分岐パイプは脚パイプの側方に突出するように脚パイプに連結され、脚パイプから流れ込んだ追い焚き湯が浴槽内側方に流出する出口を備えた、
ことを特徴とする追い焚き湯拡散具。
【請求項３】
請求項１又は請求項２記載の追い焚き湯拡散具において、
二以上の脚パイプのうち、少なくとも一以上の脚パイプが他の脚パイプよりも短寸であり、他の脚パイプ底面を浴槽底面に設置して主パイプを支持すると当該短寸脚パイプの底面が浴槽の底面から離れて、当該短寸脚パイプ内の追い焚き湯が当該短寸脚パイプの底面開口部から浴槽内に流出するようにした、
ことを特徴とする追い焚き湯拡散具。
【請求項４】
請求項１から請求項３のいずれか１項に記載の追い焚き湯拡散具において、
主パイプが浴槽の湯出口からの追い焚き湯の流出方向に長く、浴槽内の全長よりも少し短い長さである、
ことを特徴とする追い焚き湯拡散具。
【請求項５】
請求項１から請求項４のいずれか１項に記載の追い焚き湯拡散具において、
脚パイプの周壁に追い焚き湯が流出する流出孔が開口された、
ことを特徴とする追い焚き湯拡散具。
【考案の詳細な説明】
【技術分野】
【０００１】
本考案は、追い焚きされた浴槽内の残り湯を、効率よく浴槽内に拡散することのできる追い焚き湯拡散具に関するものである。
【背景技術】
【０００２】
浴槽内の残り湯を加温する技術として追い焚き装置が知られている。追い焚き装置は、浴槽内の残り湯を吸引し、吸引した残り湯を加温して浴槽内に戻すことによって残り湯を加温するものである。近年は、追い焚き装置を備えた風呂が広く普及している。しかし、残り湯は追い焚きされて温度が上昇すると浴槽の上方に集まる傾向にあり、上方側の湯に比して下方側が加温されにくい（万遍なく加温されにくい）という課題がある。
【０００３】
前記課題を解決するため、底側の残り湯を下部パイプで吸い上げて外釜で加温し、加温した液体を上部パイプから送出する装置（特許文献１）や、循環ポンプを備えた装置（特許文献２）、湯出口から噴出される液体を噴出方向の両側方に誘導する誘導板を備えた装置（特許文献３）、湯出口から噴出される液体を底側に導くパイプを備えた装置（特許文献４）等が提案されている。
【先行技術文献】
【特許文献】
【０００４】
【特許文献１】特開２００１−２１２２４号公報
【特許文献２】実開平６−２２８６７号公報
【特許文献３】実開平６−６９６５４号公報
【特許文献４】実開平７−１８１６４号公報
【考案の概要】
【考案が解決しようとする課題】
【０００５】
特許文献１から同４記載の装置には、次のような難点がある。特許文献１記載の装置は、湯出口の近くに配置して使用するものであるため、湯出口から離れた部分の液体の加温効率が悪い。特許文献２記載の装置は、ポンプによって湯出口から離れた部分の液体も効率的に加温しうるが、湯出口に嵌合して使用するものであるため、湯出口に嵌合できない浴槽には使用することができない。特許文献３記載の誘導板を備えた装置は、湯出口の上部に配置するものであるため、湯出口よりも下方の加温には適さない。特許文献４記載の装置は、パイプが湯出口よりも下側に向けられているため、底側の加温には役立つが、浴槽の壁面に沿って配置するものであるため、加温範囲が狭く、湯出口から離れた部分の加温効率が悪い。
【０００６】
本考案の目的は、浴槽内の上側のみならず底側の残り湯も効率よく加温することができ、構造が簡潔で、浴槽内に入れて手軽に使用でき、湯出口の大きさや形状に関わらず利用可能な追い焚き湯拡散具を提供することにある。
【課題を解決するための手段】
【０００７】
本考案の追い焚き湯拡散具は、浴槽内に戻される追い焚き湯が浴槽内全般に拡散されて、浴槽内全般の残り湯がほぼ均等に加温されるようにした追い焚き湯拡散具において、浴槽の湯出口から出る追い焚き湯が流れ込む主パイプと、主パイプから追い焚き湯が流れ込むように主パイプと連通された脚パイプを備え、主パイプは浴槽内に入れることのできる細長であり、浴槽内の底面側に設置でき、長手方向一端に浴槽の湯出口に対向配置される入口があり、入口は浴槽の湯出口から出る追い焚き湯が流入できるように開口しており、他端はその全面又は一部が閉塞されており、脚パイプは主パイプの長手方向に間隔をあけて二以上設けられたものである。
【０００８】
前記追い焚き湯拡散具は、主パイプから脚パイプに流れ込んだ追い焚き湯が流れ込む分岐パイプを備え、分岐パイプは脚パイプの側方に突出するように脚パイプに連結され、脚パイプから流れ込んだ追い焚き湯が浴槽内側方に流出する出口を備えたものとすることもできる。
【０００９】
前記追い焚き湯拡散具は、二以上の脚パイプのうち、少なくとも一以上の脚パイプが他の脚パイプよりも短寸であり、他の脚パイプ底面を浴槽底面に設置して主パイプを支持すると当該短寸脚パイプの底面が浴槽の底面から離れて、当該短寸脚パイプ内の追い焚き湯が当該短寸脚パイプの底面開口部から浴槽内に流出するようにすることもできる。
【００１０】
前記追い焚き湯拡散具は、主パイプが浴槽の湯出口側から浴槽の長手方向に長く、浴槽内略全域に入る長さとしてある。
【００１１】
前記追い焚き湯拡散具は、脚パイプの周壁に追い焚き湯が流出する流出孔が開口されたものとすることができる。
【考案の効果】
【００１２】
本考案の追い焚き湯拡散具には、次のような効果がある。
（１）浴槽の湯出口から出る追い焚き湯が、浴槽の底面側に設置される主パイプ、脚パイプを通して浴槽内下方に流出するため、浴槽内全般の残り湯が略均等に加温される。
（２）追い焚き湯が短寸脚パイプの底面開口部から浴槽内に流出するようにした場合は、脚パイプから流出する追い焚き湯の量が多くなり、追い焚き湯が浴槽内に拡散され易くなる。
（３）分岐パイプを設けた場合は、主パイプから脚パイプに流れ込んだ追い焚き湯が浴槽内全般に分岐されて、浴槽内全般がほぼ均一に加温される。
（４）脚パイプの周壁に追い焚き湯が流出する流出孔を開口した場合は、脚パイプに流れ込んだ追い焚き湯がその流出孔からも流出されて、浴槽内全般の残り湯の加温効率が向上する。
（５）短寸脚パイプを設けた場合は、短寸脚パイプ内に流れ込む追い焚き湯が短寸脚パイプの底面開口部から浴槽内に流出するので、追い焚き湯が浴槽の底面側に流出するため、浴槽の底面側も加温され易くなる。
（６）モータなどの機器が不要であるため、浴槽内への設置やメンテナンスが容易である。
（７）主パイプが、浴槽の湯出口から追い焚き湯が流出する方向に長いため、湯出口から離れた部分も確実かつ効率よく加温することができる。
【図面の簡単な説明】
【００１３】
【図１】本考案の追い焚き湯拡散具の実施形態及び使用例を示す斜視図。
【図２】本考案の追い焚き湯拡散具の側面図。
【図３】分岐パイプの接続部分の拡大図。
【考案を実施するための形態】
【００１４】
（実施形態）
本考案の追い焚き湯拡散具１の実施形態を、図１〜３を参照して説明する。ここでは、湯出口Ｂを一つだけ備えた浴槽Ａに使用する場合を一例として説明するが、本考案の追い焚き湯拡散具１は、湯出口Ｂを二以上備えた追い焚き機能付きの浴槽Ａに用いることもできる。
【００１５】
図１に示す追い焚き湯拡散具１は、円筒状の主パイプ２と、主パイプ２を支持する三本の脚パイプ３を備え、夫々の脚パイプ３に、主パイプ２の長手方向両側方に突出する分岐パイプ４が設けられたものである。
【００１６】
前記主パイプ２は、浴槽Ａ内の残り湯が通過可能な丸パイプであり、その長手方向一端に浴槽Ａの湯出口Ｂから出る追い焚き湯を主パイプ２内に導入するための入口（導入口）６が開口されている。主パイプ２の他端側は開閉蓋７で閉塞してあり、主パイプ２を通過した追い焚き湯が主パイプ２の他端側から流出しないようにしてある。主パイプ２の一端は全面を閉塞することも一部だけを閉塞することもできる。
【００１７】
主パイプ２は各種材質製とすることができ、例えば、耐熱性、耐水性を備えるアクリル製のものが適する。図１に示す主パイプ２は、内径６５ｍｍ程度、長さ８００ｍｍ程度の円筒材であるが、これ以外の寸法及び形状のものを用いることができる。例えば、湯出口Ｂからの追い焚き湯の流出方向（通常、浴槽Ａの長手方向）の長さより多少短い寸法にしておくのが好ましい。
【００１８】
前記脚パイプ３は、主パイプ２を下方から支持するものである。図１に示す例では、主パイプ２の長手方向底面に間隔をあけて三本設けてあるが、脚パイプ３は二本以下であっても四本以上であってもよい。夫々の脚パイプ３は主パイプ２内の追い焚き湯が流れ込むように主パイプ２に連結されている。
【００１９】
図２に示す三本の脚パイプ３は、中央の脚パイプ３ｂを他の二本の脚パイプ３ａ、３ｃよりも短寸としてあり、二本の脚パイプ３ａ、３ｃの底面を浴槽Ａの底面に設置した場合、中央の脚パイプ３ｂの底面が浴槽Ａの底面から離れるようにしてある。この長さとすることにより、中央の脚パイプ３ｂに流れ込んだ追い焚き湯は、脚パイプ３ｂの底面開口部１１から浴槽Ａ内に流出するようにしてある。
【００２０】
夫々の脚パイプ３の外周面四箇所には、貫通孔８が等間隔で設けられ、夫々の貫通孔８に分岐パイプ４を取付けられるようにしてある。貫通孔８は、脚パイプ３の下端寄りの位置に設けられている。分岐パイプ４は貫通孔８に直接取り付けることもできるが、図３に示すような連結具９を用いて取り付けることもできる。図３に示す連結具９はその一端側を脚パイプ３の貫通孔８に圧入することによって脚パイプ３に取り付け可能であり、他端部内周面に螺子溝１０があり、その螺子溝１０に、分岐パイプ４の外周壁に設けられた螺子山５を螺合することによって、分岐パイプ４を脚パイプ３に連結できるようにしてある。図２の中央の脚パイプ３ｂのように、底面開口部１１が浴槽Ａの底面から離れている場合、貫通孔８は設けなくてもよい。
【００２１】
前記分岐パイプ４は細長の丸パイプであり、脚パイプ３内の追い焚き湯が流れ込み可能となるように脚パイプ３に連結されており、軸方向一端側に追い焚き湯が浴槽Ａ内に流出する出口（流出口）１２が設けられている。その流出口１２は下向き傾斜になっており、脚パイプ３に取り付けると流出口１２が浴槽Ａの底面側に向くようにしてある。この下向き傾斜とすることによって、分岐パイプ４内を通過した追い焚き湯が、垂直にカットした場合に比べて、下向きに流出し易くなる。流出口１２の傾斜角は任意に設計することができる。分岐パイプ４には丸パイプのほか、角パイプ等を用いることもできる。
【００２２】
図１の例では、各脚パイプ３に二本ずつ分岐パイプ４を取り付けてある。分岐パイプ４が取付けられていない貫通孔８は、脚パイプ３内を流れる追い焚き湯の出口（流出孔）として使用することができる。図１の例では、分岐パイプ４を主パイプ２の長手方向両側方に突出するように脚パイプ３に連結してあるが、この向きは任意に変更することができ、例えば、主パイプ２に対して斜め前方に向けて、あるいは斜め後方に向けて設ける等することができる。分岐パイプ４の本数は任意に変更することができる。脚パイプ３及び分岐パイプ４は各種材質製とすることができるが、主パイプ２と同様、耐熱性及び耐水性に優れるアクリル製とするのが好ましい。
【００２３】
（使用例）
本考案の追い焚き湯拡散具１の使用例を、図１を参照して説明する。この使用例は、浴槽Ａ内の残り湯を追い焚きして加温する場合の例である。
（１）図１に示すように、浴槽Ａ内の残り湯内に追い焚き湯拡散具１を沈め、主パイプ２の一端側に設けられた導入口６を浴槽Ａの湯出口Ｂに対向配置する。このとき、追い焚き湯拡散具１が浮上しないように、主パイプ２、脚パイプ３、分岐パイプ４内に残り湯を充填させる。
（２）前記（１）の状態で追い焚き装置を動作させて残り湯の加温を開始する。
（３）前記（２）のように加温を開始すると、浴槽Ａ内の湯出口Ｂから流出した追い焚き湯が主パイプ２、脚パイプ３、分岐パイプ４内を通過し、その過程において、脚パイプ３の底面開口部１１や貫通孔８、分岐パイプ４の流出口１２等から浴槽Ａ内の底面側に流出する。流出した追い焚き湯は残り湯内を上昇して、浴槽Ａ内の残り湯全体が略均一に加温され易くなる。
【００２４】
本考案の追い焚き湯拡散具１は、主パイプ２、脚パイプ３及び分岐パイプ４が連結されたものであるが、分岐パイプ４はなくてもよい。
【符号の説明】
【００２５】
１    追い焚き湯拡散具
２    主パイプ
３    脚パイプ
３ａ  左側の脚パイプ
３ｂ  中央の脚パイプ
３ｃ  右側の脚パイプ
４    分岐パイプ
５    （分岐パイプの）螺子山
６    入口（導入口）
７    開閉蓋
８    貫通孔
９    連結具
１０  （連結具の）螺子溝
１１  底面開口部
１２  流出口
Ａ    浴槽
Ｂ    湯出口
【図１】
0003183408.tif 000003
【図２】
0003183408.tif 000004
【図３】
0003183408.tif 000005